(57)【要約】【課題】  多チャンネルの音声チャネルを有する音響装置において、容易にしかも短時間にチャネル間の音量等の音響特性を調整する。【解決手段】  音響特性調整装置２０は、多チャンネルで音響信号を再生して出力する音響装置１０に用いられて、チャネル毎の音響特性を調整し、この音響装置１０には、チャネル毎にその周波数成分が異なるテスト信号が与えられ、この音響装置１０から出力される再生出力を周波数分析して周波数分析結果を得て、周波数分析結果に応じてチャネル毎の音響特性を調整するものである。【選択図】        図１
2005101955.tif 000002
【特許請求の範囲】
【請求項１】
多チャンネルで音響信号を再生して出力する音響装置に適用し、前記チャネル毎の音響特性を調整する音響特性調整装置において、
前記音響装置には、前記チャネル毎にその周波数成分が異なるテスト信号が与えられ該音響装置から出力される前記テスト信号の再生出力を周波数分析して周波数分析結果を得る周波数分析手段と、
前記周波数分析結果に応じて前記チャネル毎の音響特性を調整する調整制御手段とを備えたことを特徴とする音響特性調整装置。
【請求項２】
テスト信号は、チャネル毎にその振幅成分が互いに等しいことを特徴とする請求項１記載の音響特性調整装置。
【請求項３】
音響装置には少なくともチャネル毎に音響信号の減衰量を変化させる可変減衰手段が備えられ、
調整制御手段は周波数分析結果から前記チャネル毎の周波数成分に応じてその音量を求め、その音量が前記チャネル間で同一となるように前記可変減衰手段の減衰量を調整することを特徴とする請求項１記載の音響特性調整装置。
【請求項４】
調整制御手段は、予め定められたチャネルを基準チャネルとして該基準チャネルにおける音量と前記基準チャネル以外の残りのチャネルにおける音量との差を偏差として求め、その偏差に応じて可変減衰手段の減衰量を調整するようにしたことを特徴とする請求項３記載の音響特性調整装置。
【請求項５】
テスト信号は予め記録媒体に記録され、音響特性を調整する際、音響装置で前記記録媒体から前記テスト信号の再生が行われるようにしたことを特徴とする請求項１から請求項４のうちのいずれか１項記載の音響特性調整装置。
【請求項６】
テスト信号は予め調整制御手段に格納され、音響特性を調整する際、前記調整制御手段から音響装置に与えられるようにしたことを特徴とする請求項１から請求項４のうちのいずれか１項記載の音響特性調整装置。
【請求項７】
音響装置で再生される音響信号を受け、前記音響信号に応じてテスト信号を生成する信号処理手段を備え、
音響特性を調整する際、前記信号処理手段は前記音響装置に前記テスト信号を与えるようにしたことを特徴とする請求項１から請求項４のうちのいずれか１項記載の音響特性調整装置。
【発明の詳細な説明】
【技術分野】
【０００１】
この発明は、ステレオ再生のように多チャンネルで音響再生を行う音響装置において、チャネル間の音量等の音響特性を補正する音響特性調整装置に関するものである。
【背景技術】
【０００２】
一般に、ステレオ装置のような音響装置において、ＣＤのステレオ再生をする際、またはＤＶＤの映画音響を再生する際においては、チャネル間に音量の差が存在すると、当該再生音を受聴する受聴者において音響が片側に偏って聞こえることがあり、さらに、一方から他方へ移動すべき音響が移動しないか途中で移動が止まってしまうような現象が生じる。従って、音響装置において、音響再生を行う際には、事前にチャネル間の音量等の音響特性を調整する必要がある。
【０００３】
一方、音響特性を調整するため、所定の基準信号を一方の記録トラックに備えて、ある中心周波数を有する帯域制限雑音信号を各々一定時間毎に提示する組み合わせを多数設けるとともに、帯域制限雑音信号の中心周波数の各組み合わせを変化させる比較信号を他方の記録トラックに有するソースプログラムを用いて、基準信号と比較信号とを交互に提示し、これら信号が聴感上等音量となるようにイコライザの各周波数レベルを調整するようにしたものがある（例えば、特許文献１参照）。
【０００４】
【特許文献１】特公昭６１−３６４３７号公報（第２頁第３欄〜第３頁第５欄、第２図〜第５図）
【発明の開示】
【発明が解決しようとする課題】
【０００５】
従来の音響特性調整装置は以上のように構成されているので、多チャンネルの音声チャネルを備える音響装置について音響特性を調整しようとすると、チャネル毎に音響特性の調整を行わなければならず、音響特性の調整が極めて煩わしく、しかも時間が掛かってしまうなどの課題があった。
【０００６】
例えば、映画用ソフトにおいて、音響チャネル（音声チャネル）が５．１チャネル（ｃｈ）ある場合を考えると、右フロントチャネルから基準信号を再生し、左フロントチャネルから比較信号を再生して、音量等の音響特性を調整した後、センターチャネルから比較信号を再生して、音響特性の調整を行い、さらに、後方のチャネルにおける音響特性を調整するというように、チャネル毎に音響特性の調整を繰り返す必要があり、音響特性の調整が極めて煩わしく、しかも時間が掛かってしまうなどの課題があった。
【０００７】
この発明は上記のような課題を解決するためになされたもので、第１の目的は、多チャンネルの音声チャネルを有する音響装置において、容易にしかも短時間にチャネル間の音量等の音響特性を調整することのできる音響特性調整装置を得るものである。
【課題を解決するための手段】
【０００８】
この発明に係る音響特性調整装置は、多チャンネルで音響信号を再生して出力する音響装置に適用し、この音響装置には、チャネル毎にその周波数成分が異なるテスト信号が与えられ、この音響装置から出力される再生出力を周波数分析して周波数分析結果を得る周波数分析手段と、周波数分析結果に応じてチャネル毎の音響特性を調整する調整制御手段とを備えたものである。
【発明の効果】
【０００９】
この発明は、音響装置に、チャネル毎にその周波数成分が異なるテスト信号を与えて、この音響装置から出力される再生出力を周波数分析して周波数分析結果を得た後、この周波数分析結果に応じてチャネル毎の音響特性を調整するように構成したので、容易にしかも短時間にチャネル間の音響特性を調整することができるという効果が得られる。
【発明を実施するための最良の形態】
【００１０】
以下、この発明の実施の一形態を説明する。
実施の形態１．
図１において、音響装置１０には、音響特性調整装置２０が接続されており、この音響装置１０は、多チャンネルの音響チャネル（音声チャネル）を備えて、音響再生（音声再生）を行う。図示の例においては、音響装置１０は、ＤＶＤプレーヤ１１及び５．１チャネル（ｃｈ）サラウンドデコーダ１２を備えており、ＤＶＤプレーヤ１１で再生された再生デジタル音響信号（デジタル音声信号）は、５．１ｃｈサラウンドデコーダ１２でデコードされて、６ｃｈの再生デジタル音声信号とされる。例えば、再生デジタル音声信号は、左フロントｃｈ（第１チャネル）音声信号、右フロントｃｈ（第２チャネル）音声信号、センターｃｈ（第３チャネル）音声信号、右リアｃｈ（第４チャネル）音声信号、左リアｃｈ（第５チャネル）音声信号、及びサブウーファｃｈ（第６チャネル）音声信号の６ｃｈのデジタル音声信号（以下これらデジタル音声信号を第１〜第６のデジタル音声信号と呼ぶことにする）とされる。そして、これら再生デジタル音声信号は補正回路部１３に与えられる。
【００１１】
補正回路部１３には、音声チャネルに対応してイコライザ回路（特性補償回路）１４ａ〜１４ｆ及び可変減衰器（ＡＴＴ）１５ａ〜１５ｆが備えられ、イコライザ回路１４ａ〜１４ｆによってそれぞれ音声チャネル毎にスピーカと室内の影響とによる周波数特性の乱れを補正した後、ＡＴＴ１５ａ〜１５ｆによって減衰を行って、音声チャネル間の音量を補正する。
【００１２】
このようにして、周波数特性の補正及び音量の補正が行われた第１〜第６のデジタル音声信号は、それぞれデジタルアナログ（Ｄ／Ａ）変換器１６ａ〜１６ｆによって第１〜第６のアナログ音声信号に変換された後、増幅器（アンプ）１７ａ〜１７ｆによって電力増幅され、スピーカ１８ａ〜１８ｆから音響として室内に放射される。
【００１３】
なお、図示はしないが、補正回路部１３には各スピーカ１８ａ〜１８ｆから受聴者までの距離の相違による音響の到達時間の遅れを補正するための遅延回路を備えるようにしてもよい。
【００１４】
音響特性調整装置２０には、マイクロホン２１、アナログデジタル（Ａ／Ｄ）変換器２２、周波数分析器２３、制御部２４、及びスタートスイッチ２５を備えており、周波数分析器２３は、例えば、デジタルシグナルプロセッサ（ＤＳＰ）を備えている。そして、スタートスイッチ２５がオンされると、後述するようにして、テスト信号を用いて各音声チャネルにおける音量を調節する。
【００１５】
次に動作について説明する。
図２を参照すると、いま、記録媒体であるＤＶＤにはテスト信号が記録されており、図示の例では、第１〜第６チャネルに対応してそれぞれ図２（ａ）〜（ｆ）に示す第１〜第６のテスト信号成分が記録されている。図２（ａ）〜（ｆ）においては、各テスト信号成分を離散フーリエ変換した際の振幅周波数特性が示されており、横軸が周波数、縦軸が振幅である。第１〜第６のテスト信号成分は、図示のように、その振幅が互いに等しく、周波数が互いに異なる複数の信号成分を有する信号成分である。
【００１６】
図示の例においては、第１のテスト信号成分は、周波数の低いほうから数えて、第（５ｎ＋１）番目の信号成分（周波数成分）Ｓ(5n+1)を有している（ｎは０以上の整数）。第２のテスト信号成分は、同様に周波数の低いほうから数えて、第（５ｎ＋２）番目の信号成分Ｓ(5n+2)を有し、第３、第４、及び第５のテスト信号成分はそれぞれ第（５ｎ＋３）番目の信号成分Ｓ(5n+3)、第（５ｎ＋４）番目の信号成分Ｓ(5n+4)、及び第（５ｎ＋５）番目の信号成分Ｓ(5n+5)を備えている。また、第６のテスト信号成分は、低音サブウーファ用であり、例えば、２０Ｈｚから２００Ｈｚまで帯域制限された白色雑音である。
【００１７】
そして、第１チャネルの信号成分Ｓ1 と信号成分Ｓ6 との間に、第２〜第５チャネルの信号成分Ｓ2 〜Ｓ5 が入るような配列で順次第１〜第５チャネルの信号成分が配列されて、第１〜第５チャネルまでの信号成分が２００Ｈｚから２０ｋＨｚまでの周波数帯域を有するようにする。この結果、第１〜第６チャネルの周波数帯域を合わせると、オーディオ帯域２０Ｈｚ〜２０ｋＨｚをカバーすることになる。さらに、このような信号では第１〜第６チャネルを同時に再生しても、Ｓ(5n+1)は第１チャネルの信号、Ｓ(5n+2)は第２チャネルの信号のように第１〜第６チャネルの信号を区別できる特徴がある。
【００１８】
各音声チャネルにおける音響特性を調整しようとする際には、前述のテスト信号が記録されたＤＶＤをＤＶＤプレーヤ１１にセットして、テスト信号の再生を開始する。これによって、前述したようにして、第１〜第６のテスト信号成分がそれぞれスピーカ１８ａ〜１８ｆから音響として出力される。そして、スタートスイッチ２５をオンすると、制御部２４では、音響特性調整モードを実行する。
【００１９】
図３も参照して、この音響特性調整モードでは、制御部２４は補正回路部１３を制御して、補正回路部１３における補正量を予め設定された値からゼロにする。例えば、イコライザ回路１４ａ〜１４ｆの周波数特性を平坦にするとともに、ＡＴＴ１５ａ〜１５ｆの減衰量（ゲイン補正量）をゼロ（初期値）にする（ステップＳＴ１）。なお、補正回路部１３が遅延回路を備えている際には、遅延時間をゼロとする。
【００２０】
マイクロホン２１は、受聴者が位置すべき位置に配置されており、マイクロホン２１で集音された音響は、音響電気信号としてＡ／Ｄ変換器２２に与えられ、ここでデジタル信号に変換されて、周波数分析器２３に送られる。周波数分析器２３ではデジタル信号を離散フーリエ変換によってその周波数分析を行って、信号成分（周波数成分）Ｓi （ｉは１以上の整数）を得て、この信号成分Ｓi を制御部２４に与える（ステップＳＴ２）。
【００２１】
制御部２４（マイクロプロセッサ）では、まず、チャネル番号ｍ＝１として（ステップＳＴ３）、信号成分Ｓi から第（５ｎ＋１）番目の信号成分を抽出して、第１チャネルにおける音量を求める（ステップＳＴ４）。
【００２２】
いま、第１チャネルにおける音量をＶ１とすると、Ｖ１は式（１）で求められる。
【数１】
2005101955.tif 000003
ここで、Ａ(5n+1)は聴感補正（Ａ）フィルタの第（５ｎ＋１）番目の周波数に相当する振幅成分、Ｌｍａｘは上限周波数成分の番号であり、Ｓ(5Lmax+5) は２０ｋＨｚに相当する。
【００２３】
上述のようにして、音量Ｖ１を求めた後、制御部２４では音量Ｖ１を一旦内蔵メモリ（図示せず）に格納して、最後のチャネル番号であるか否かを判定する（ステップＳＴ５）。図示の例では、第１〜第６チャネルを有しているので、制御部２４では、ｍ＝ｍ＋１として（ステップＳＴ６）、ステップＳＴ４に戻って、信号成分Ｓi から第（５ｎ＋２）番目の信号成分を抽出して、第２チャネルにおける音量Ｖ２を次の式（２）によって求めて、内蔵メモリに格納する。
【数２】
2005101955.tif 000004
【００２４】
以下同様にして、制御部２４では、信号成分Ｓi から第（５ｎ＋３）番目、第（５ｎ＋４）番目、及び第５（ｎ＋５）番目の信号成分を抽出して、第３〜第５チャネルにおける音量Ｖ２〜Ｖ５を次の式（３）〜（５）によって求めて、内蔵メモリに格納する。
【数３】
2005101955.tif 000005
【数４】
2005101955.tif 000006
【数５】
2005101955.tif 000007
【００２５】
一方、制御部２４では、第６チャネルにおける音量Ｖ６を次の式（６）で求めて、音量Ｖ６を内蔵メモリに格納する。
【数６】
2005101955.tif 000008
ここで、Ｌ２００は２００Ｈｚに相当する信号成分の番号である。
【００２６】
上述のようにして、音量Ｖ１〜Ｖ６を求めると、ステップＳＴ５で、制御部２４は最後のチャネル番号であると判定して、内蔵メモリから音量Ｖ１〜Ｖ６を読み出して、第１〜第６チャネルの音量差を算出して、その結果に応じてＡＴＴ１５ａ〜１５ｆの減衰量を調整する（ステップＳＴ７）。例えば、制御部２４では、第１チャネルを基準チャネルとして（音量Ｖ１を基準音量として）、音量Ｖ１と音量Ｖ２〜Ｖ６とを比較して、それぞれ偏差を求めて、この偏差に応じてＡＴＴ１５ａ〜１５ｆの減衰量を調整することになる。なお、このようにして減衰量を調整した後、制御部２４ではイコライザ１４ａ〜１４ｆを元の設定値に戻す。
【００２７】
このようにして、ＡＴＴ１５ａ〜１５ｆの減衰量を調整すると、第１〜第６チャネルの音量が等しくなり、受聴者は音量バランスが取れ、しかも移動感のある音響を楽しむことができる。なお、上述の説明から明らかなように、マイクロホン２１、Ａ／Ｄ変換器２２、及び周波数分析器２３が周波数分析手段として機能し、制御部２４が調整制御手段として機能することになる。
【００２８】
以上のように、この実施の形態１によれば、チャネル毎に周波数成分が異なるテスト信号を用いて、音響装置からテスト信号に応じた音響を同時に出力して、この音響を周波数分析して得られた信号成分（周波数成分）に応じて各チャネル毎の音量を調整するようにしたので、多チャンネルの音声チャネルを有する音響装置においても、容易にしかも短時間にチャネル間の音量等の音響特性を調整することができるという効果が得られる。
【００２９】
実施の形態２．
図４において、図１に示す音響特性調整装置と同一の要素については、同一の参照番号を付す。図４に示す音響特性調整装置３０では、制御部２４は、マイクロプロセッサ（ＣＰＵ）２４ａ、メモリ２４ｂ、及び入出力インタフェース２４ｃを備えており、ＣＰＵ２４ａとメモリ２４ｂ及び入出力インタフェース２４ｃとはデータバスＤＢ及びアドレスバスＡＢによって相互に接続されている。そして、メモリ２４ｂの第１のメモリ領域には、図２で説明した第１〜第６のテスト信号成分が記憶されている。
【００３０】
周波数分析器２３は入出力インタフェース２４ｃを介してＣＰＵ２４ａに接続されており、図示の音響特性調整装置３０はさらに切替回路３１を有している。この切替回路３１は、５．１ｃｈサラウンドデコーダ１２と補正回路部１３との間に配置され、選択的に制御部２４又は５．１ｃｈサラウンドデコーダ１２と補正回路部１３とを接続する。
【００３１】
次に動作について説明する。
通常状態では、切替回路３１は５．１ｃｈサラウンドデコーダ１２と補正回路部１３とを接続しており、図１で説明したように、スタートスイッチ２５がオンされると、ＣＰＵ２４ａは音響特性調整モードを実行して、入出力インタフェース２４ｃを介して切替回路３１に切替制御信号を送出する。これによって、切替回路３１は制御部２４と補正回路部１３とを接続する。
【００３２】
その後、ＣＰＵ２４ａでは、図３のステップＳＴ１で説明した処理を行った後、メモリ２４ａをアクセスして、第１〜第６のテスト信号成分を読み出して、入出力インタフェース２４ｃ及び切替回路３１を介して補正回路部１３に送る。これによって、第１〜第６のテスト信号成分に応じた音響がスピーカ１８ａ〜１８ｆから出力されることになる。
【００３３】
そして、ＣＰＵ２４ａでは、図３のステップＳＴ２〜ＳＴ７を実行して、補正回路部１３の各ＡＴＴ（図４には示さず）の減衰量を調整して、音響特性を調整することになる。なお、図４に示す例では、音量Ｖ１〜Ｖ６は一旦メモリ２４ｂの第２のメモリ格納領域に格納されることになる。
【００３４】
以上のように、この実施の形態２によれば、予めメモリにテスト信号を記憶して、音響特性調整モードとなると、メモリからテスト信号を読み出してテスト信号に応じた音響を出力し、この音響を周波数分析して得られた信号成分に応じて各チャネル毎の音量を調整するようにしたので、ＤＶＤ等の記録媒体を必要とすることなく、多チャンネルの音声チャネルを有する音響装置においても、簡単にしかも短時間にチャネル間の音量等の音響特性を調整することができるという効果が得られる。
【００３５】
実施の形態３．
図５において、図１に示す音響特性調整装置と同一の要素については、同一の参照番号を付す。図５に示す音響特性調整装置４０では、信号処理部４１を備えており、この信号処理部４１は、マイクロプロセッサ（ＣＰＵ）４１ａ、メモリ４１ｂ、及び入出力部（Ｉ／Ｏ）４１ｃを備えており、Ｉ／Ｏ４１ｃは５．１ｃｈサラウンドデコーダ１２に接続されている。そして、信号処理部４１では、制御部２４からの制御信号に応じて、後述するようにしてテスト信号を生成するとともに、Ａ／Ｄ変換器２２から受けたデジタル信号の周波数分析を行う。
【００３６】
次に動作について説明する。
図１に関連して説明したように、スタートスイッチ２５がオンされると、制御部２４は音響特性調整モードを実行して、信号処理部４１に制御信号を与える。この制御信号によって信号処理部４１は処理動作を開始する。さらに、制御部２４は、図３のステップＳＴ１で説明した処理を行う。
【００３７】
図６も参照して、信号処理部４１では、ＣＰＵ４１ａがチャネル番号ｍ＝１としてメモリ４１ｂのアドレスの初期値を設定する（ステップＳＴ８）。そして、ＣＰＵ４１ａでは、Ｉ／Ｏ４１ｃを介して、ＤＶＤプレーヤ１１で再生されている映画音声について５．１ｃｈサラウンドデコーダ１２から第１チャネルのデジタル音声信号（音声波形データ）を受け、メモリ４１ｂの第１のメモリ領域に格納する（ステップＳＴ９）。そして、アドレスをインクリメントして（ステップＳＴ１０）、ＣＰＵ４１ａでは最後の音声波形データであるか否かを判定して（ステップＳＴ１１）、最後の音声波形データでなければ、ｍ＝ｍ＋１として（ステップＳＴ１２）、再びステップＳＴ９を行い、第２〜第５チャネルの音声波形データを受けて、メモリ４１ｂの第１のメモリ領域に格納する。
【００３８】
このようにして、第１〜第５チャネルの音声波形データをメモリ４１ｂの第１のメモリ領域に格納した後、最後の音声波形データであると判定すると、ＣＰＵ４１ａはｍ＝１として（ステップＳＴ１３）、メモリ４１ｂの第１のメモリ領域から、第１チャネルの音声波形データを読み出して、ＦＦＴ（高速フーリエ変換）処理を行う（ステップＳＴ１４）。ＣＰＵ４１ａでは、ＦＦＴ処理の結果得られた信号成分（周波数成分）について信号成分Ｓ(5n+h)（ｈは１〜５まで整数で、チャネルに相当、ｎ＝０〜Ｌmax ）以外の信号成分を削除した後、逆ＦＦＴ処理を行って、逆ＦＦＴ処理データをメモリ４１ｂの第２のメモリ領域に格納する（ステップＳＴ１５）。
【００３９】
その後、ＣＰＵ４１ａでは、最後の音声波形データであるか否かを判定して（ステップＳＴ１６）、最後の音声波形データでなければ、ｍ＝ｍ＋１として（ステップＳＴ１７）、再度ステップＳＴ１４及びＳＴ１５を実行する。このようにして、第１〜第５チャネルの音声波形データについてＦＦＴ処理を行った後、信号成分Ｓ(5n+h)以外の信号成分を除去して、逆ＦＦＴ処理を行って、逆ＦＦＴ処理データをメモリ４１ｂの第２のメモリ領域に格納することになる。
【００４０】
そして、ＣＰＵ４１ａでは、メモリ４１ｂの第２のメモリ領域に格納された逆ＦＦＴ処理データに基づいて第１〜第５のテスト信号成分Ｓ(5n+1)〜Ｓ(5n+5)を生成して、メモリ４１ｂの第３のメモリ領域に格納することになる。この際、ＣＰＵ４１ａでは、図１で説明した第６のテスト信号成分として白色雑音データを生成して、メモリ４１ｂの第３のメモリ領域に格納する。
【００４１】
図７を参照すると、ＣＰＵ４１ａではメモリ４１ｂの第３のメモリ領域をアクセスして、第１〜第６のテスト信号成分を読み出して、補正回路部１３に送る（ステップＳＴ１８）。これによって、第１〜第６のテスト信号成分に応じた音響がスピーカ１８ａ〜１８ｆから出力されることになる。
【００４２】
そして、ＣＰＵ２４ａでは、Ａ／Ｄ変換器２２から受けたデジタル信号を受信デジタル信号として受けて、メモリ４１ｂの第４のメモリ領域に一旦格納する（ステップＳＴ１９）。その後、ＣＰＵ４１ａでは、受信デジタル信号をＦＦＴ処理して、信号成分（周波数成分）Ｓi を得て、この信号成分Ｓi を制御部２４に与える（ステップＳＴ２０）。
【００４３】
制御部２４では、まず、チャネル番号ｍ＝１として、信号成分Ｓｉから第（５ｎ＋１）番目の信号成分を抽出して、第１チャネルにおける音量Ｖ１を求める（ステップＳＴ２１）。以下同様にして、第２〜第６チャネルにおける音量Ｖ２〜Ｖ６を求めて、最後のチャネル番号であるか否かを判定して（ステップＳＴ２２）、最後のチャネル番号であると、第１〜第６チャネルの音量差を算出して、その結果に応じてＡＴＴ１５ａ〜１５ｆの減衰量を調整する（ステップＳＴ２３）。例えば、制御部２４では、音量Ｖ１を基準音量として、音量Ｖ１と音量Ｖ２〜Ｖ６とを比較して、それぞれ偏差を求めて、この偏差に応じてＡＴＴ１５ａ〜１５ｆの減衰量を調整することになる。
【００４４】
なお、図５に示す例においては、５．１ｃｈサラウンドデコーダ１２を補正回路部１３に接続するパスは省略されており、例えば、図４で説明した切替回路３１を用いて信号処理部４１又は５．１ｃｈサラウンドデコーダ１２が補正回路部１３に選択的に接続される。また、図５においては、マイクロホン２１、Ａ／Ｄ変換器２２、及び信号処理部４１が周波数分析手段として機能することになり、信号処理部は、音響信号に応じてテスト信号を生成する信号処理手段としても機能する。
また、実施の形態１、２、３では、調整にあたり、補正回路のイコライザ回路、遅延回路の値をゼロ（初期値）に戻して調整を開始する例を説明したが、イコライザ回路と遅延回路は初期化せずに、音量調整を開始しても良い。この場合、受聴者が、部屋の特性あるいは、自分の嗜好に合わせて、低音、高音を調整した後であっても、同様に音量の調整が可能である。
【００４５】
以上のように、この実施の形態３によれば、ＤＶＤプレーヤに再生されている音響信号に基づいてテスト信号を生成して、テスト信号に応じた音響を出力し、この音響を周波数分析して得られた信号成分に応じて各チャネル毎の音量を調整するようにしたので、多チャンネルの音声チャネルを有する音響装置においても、簡単にしかも短時間にチャネル間の音量等の音響特性を調整することができるという効果が得られる。
【００４６】
実施の形態４．
図８において、図４と同一の要素については、同一の参照番号を付す。図８に示す音響特性調整装置４２では、制御部４３はマイクロプロセッサ（ＣＰＵ）４３ａと波形メモリ４３ｂ、受信メモリ４３ｃ、特性メモリ４３ｄとスタートスイッチ４４を備えており、ＣＰＵ４３ａと各メモリ４３ｂ、４３ｃ、４３ｄ及び入出力インタフェース４３ｅとはデータバスＤＢ及びアドレスバスＡＢによって相互に接続されている。波形メモリ４３ｂには図２で説明した第１〜第６のテスト信号成分が記憶されている。受信メモリ４３ｃはマイクロホン２１で集音し、周波数分析された信号成分（周波数成分）を記憶し、特性メモリ４３ｄは、チャネル１〜６までの信号成分（周波数成分）を記憶するメモリである。
【００４７】
次の動作について説明する。図９は音響特性調整モードのフローチャートである。スタートスイッチ４４がオンにされると、ＣＰＵ４３ａは図９の音響特性調整モードを開始する。波形メモリ４３ｂを最初にどのチャネルに出力するか、出力チャネルの初期値を設定し、繰り返し番号Ｒを１に設定する（ステップＳＴ２４）。波形メモリ４３ｂの中に記憶しているテスト信号１〜６を送出する（ステップＳＴ２５）。マイクロホン２１で集音し、Ａ／Ｄ変換器２２でデジタル信号に変換され、周波数分析器２３で離散フーリエ変換されて、分析された周波数成分Ｓi を受信メモリ４３ｃに格納する（ステップＳＴ２６）。制御部４３のＣＰＵ４３ａでは、まずチャネル番号１の信号成分Ｓ(5n+1)を特性メモリ４３ｄの第１のメモリ領域に格納する。チャネル番号２の信号成分Ｓ(5n+2)は特性メモリ４３ｄの第２のメモリ領域に格納する。チャネル番号３〜５の信号成分Ｓ(5n+3)、Ｓ(5n+4)、Ｓ(5n+5)について同様に第３、４、５のメモリ領域に、チャネル番号６の成分は第６のメモリ領域に格納する（ステップＳＴ２７）。
【００４８】
次にテスト信号１を出力するチャネル番号を２に、テスト信号２を出力するチャネル番号を３に、切り換える。以下同様に、テスト信号３はチャネル番号４、テスト信号４はチャネル番号５、テスト信号５はチャネル番号１に設定を切り換える（ステップＳＴ２８）。チャネル番号６は低音域を専用に受け持つのでテスト信号６を出力し、変更の必要はない。繰り返し番号を１つ進めて、第１〜第６チャネルのテスト信号を送出する（ステップＳＴ２５）。このとき分析された信号成分Ｓi は一旦、受信メモリ４３ｃに格納された（ステップＳＴ２６）のち、それぞれのチャネル番号の信号成分が特性メモリ４３ｄの第１〜５のメモリ領域に格納される。すなわちチャネル番号１の信号成分Ｓ(5n+5)を特性メモリ４３ｄの第１のメモリ領域に、チャネル番号２の信号成分Ｓ(5n+1)は第２のメモリ領域に、チャネル番号３の信号成分Ｓ(5n+2)は第３のメモリ領域に、チャネル番号４は信号成分Ｓ(5n+3)は第４のメモリ領域に、チャネル番号５の信号成分Ｓ(5n+4)の第５のメモリ領域Ｓ(5n+4)に格納する（ステップＳＴ２７）。チャネル番号６のテスト信号は切換えがなく、以前と同じであるので、改めて格納する必要はない。
【００４９】
上記の操作をチャネル番号１の信号成分Ｓi がＳ(5n+2)を格納するまで繰り返す（ステップＳＴ２９）。繰り返しにより、特性メモリ４３ｄの第１のメモリ領域にはＳ(5n+1)、Ｓ(5n+5)、Ｓ(5n+4)、Ｓ(5n+3)、Ｓ(5n+2)の信号成分が格納されることになる。よってチャネル番号１の信号成分Ｓi は２００Ｈｚ以上２０ｋＨｚまでの全ての信号成分（周波数成分）が周波数分析されて格納される。チャネル番号２〜５についても同様に２０ｋＨｚまでの全周波数成分が格納される。次に特性メモリ４３ｄに格納された信号成分から、第１〜６チャネルの音量を計算し、音量の調整が行われる。
【００５０】
以上のように、この実施の形態４によれば、複数のテスト信号を出力するチャネル番号を順に切り換えて、出力し、周波数分析をすることにより、各チャネルの全ての周波数成分が得ることができ、全周波数成分を使って音量調整が出来るので、より精度が高く音量調整ができる効果が得られる。
【図面の簡単な説明】
【００５１】
【図１】この発明の実施の形態１による音響特性調整装置を音響装置とともに示す構成図である。
【図２】図１に示す音響特性調整装置で用いられるテスト信号を離散フーリエ変換した状態を示す図であり、（ａ）〜（ｆ）はそれぞれ第１〜第６チャネルに対応するテスト信号成分を示す図である。
【図３】図１に示す音響特性調整装置の動作を説明するためのフローチャートである。
【図４】この発明の実施の形態２による音響特性調整装置を音響装置とともに示す構成図である。
【図５】この発明の実施の形態３による音響特性調整装置を音響装置とともに示す構成図である。
【図６】図５に示す信号処理部の動作を説明するためのフローチャートである。
【図７】図５に示す音響特性調整装置の動作を説明するためのフローチャートである。
【図８】この発明の実施の形態４による音響特性調整装置を音響装置とともに示す構成図である。
【図９】図８に示す音響特性調整の動作を説明するためのフローチャートである。
【符号の説明】
【００５２】
１０  音響装置、１１  ＤＶＤプレーヤ、１２  ５．１チャネル（ｃｈ）サラウンドデコーダ、１３  補正回路部、１４ａ，１４ｂ，１４ｃ，１４ｄ，１４ｅ，１４ｆ  イコライザ回路（特性補償回路）、１５ａ，１５ｂ，１５ｃ，１５ｄ，１５ｅ，１５ｆ  可変減衰器（ＡＴＴ）、１６ａ，１６ｂ，１６ｃ，１６ｄ，１６ｅ，１６ｆ  デジタルアナログ（Ｄ／Ａ）変換器、１７ａ，１７ｂ，１７ｃ，１７ｄ，１７ｅ，１７ｆ  増幅器（アンプ）、１８ａ，１８ｂ，１８ｃ，１８ｄ，１８ｅ，１８ｆ  スピーカ、２０，３０，４０，４２  音響特性調整装置、２１  マイクロホン、２２  アナログデジタル（Ａ／Ｄ）変換器、２３  周波数分析器、２４，４３  制御部、２４ａ，４１ａ，４３ａ  マイクロプロセッサ（ＣＰＵ）、２４ｂ，４１ｂ，４３ｂ，４３ｃ，４３ｄ  メモリ、２４ｃ，４３ｅ  入出力インタフェース、２５，４４  スタートスイッチ、３１  切替回路、４１  信号処理部、４１ｃ  入出力部（Ｉ／Ｏ）。
【図１】
2005101955.tif 000009
【図２】
2005101955.tif 000010
【図３】
2005101955.tif 000011
【図４】
2005101955.tif 000012
【図５】
2005101955.tif 000013
【図６】
2005101955.tif 000014
【図７】
2005101955.tif 000015
【図８】
2005101955.tif 000016
【図９】
2005101955.tif 000017